(57)【要約】  動画コンテンツを再生する再生装置１と、左右方向にスライド可能な操作量検知デバイスが設けられ、再生装置１を遠隔操作するリモコン２と、再生装置２が再生した動画コンテンツを表示する表示装置３と、を備え、動画コンテンツを再生中に、リモコン２から操作量検知デバイスの操作により早送りまたは早戻しの指示がなされると、表示装置３の再生画面に重ねて、再生時点を中心として所定の時間間隔で選択された複数のシーンのサムネイル画像をそれぞれ表示するとともに、この複数のサムネイル画像を所定の更新間隔で更新表示して、早送りまたは早戻し表示を行う画像表示システム１０であって、操作量検知デバイスの操作量は、上記所定の時間間隔及び上記更新間隔を決定する。
2010122644.tif 000002
【特許請求の範囲】
【請求項１】
動画コンテンツを早送り表示または早戻し表示する場合には、前記動画コンテンツを構成する複数のフレーム画像の中から、再生時点を起点として第１の時間の間隔ごとに選択された所定数のフレーム画像に対応するそれぞれの縮小画像を、画面上の所定の一方向に時間順に表示するとともに、
第２の時間の間隔ごとに、
前記早送り表示の場合には、前記再生時点を前記第１の時間だけ未来に設定し、前記早戻し表示の場合には、前記再生時点を前記第１の時間だけ過去に設定し、設定した前記再生時点を起点として前記第１の時間の間隔ごとに選択された前記所定数のフレーム画像に対応するそれぞれの縮小画像を、前記所定の一方向に時間順に表示することにより、前記所定数の縮小画像を早送り表示または早戻し表示する画像表示システムであって、
操作方向及び操作量を検知可能な操作デバイスを備え、該操作デバイスを介して前記早送り表示または早戻し表示の指示を入力する操作指示ユニットと、
前記操作デバイスが検知した操作方向に基づいて、早送り表示または早戻し表示の選択をし、前記操作デバイスが検知した操作量に基づいて、選択された早送り表示または早戻し表示における前記第１の時間及び前記第２の時間を決定する制御内容決定ユニットと、
前記制御内容決定ユニットが決定した早送り表示または早戻し表示の選択、及び決定した前記第１の時間及び前記第２の時間に基づいて、前記所定数の縮小画像それぞれを作成し、作成した前記所定数の縮小画像それぞれを前記所定の一方向に時間順に表示する表示画像を作成する画像作成ユニットと、
前記画像作成ユニットにより作成された前記表示画像を表示する表示ユニットと、
を備えることを特徴とする画像表示システム。
【請求項２】
前記所定数の縮小画像は、前記再生時点のフレーム画像に対応する縮小画像、前記再生時点より過去の時点のフレーム画像に対応する縮小画像、及び前記再生時点より未来の時点のフレーム画像に対応する縮小画像を含むことを特徴とする請求項１記載の画像表示システム。
【請求項３】
前記再生時点のフレーム画像に対応する縮小画像は、前記所定の一方向に沿って表示される前記所定数の縮小画像の中心に表示されることを特徴とする請求項２記載の画像表示システム。
【請求項４】
前記再生時点のフレーム画像に対応する縮小画像は、他の前記縮小画像よりも画像が大きいことを特徴とする請求項２又は３記載の画像表示システム。
【請求項５】
前記再生時点のフレーム画像は、前記所定数の縮小画像とともに前記画面上に表示されることを特徴とする請求項２乃至４のいずれか１項に記載の画像表示システム。
【請求項６】
前記画像作成ユニットは、
前記第１の時間及び前記第２の時間に基づいて、前記再生時点より過去のフレーム画像に対応する縮小画像の数、及び前記再生時点より未来のフレーム画像に対応する縮小画像の数を変化させることを特徴とする請求項２乃至５のいずれか１項に記載の画像表示システム。
【請求項７】
前記操作デバイスは、左右方向にスライド可能であるとともに、原点位置に対する復帰力を有する操作部を備え、
前記操作方向は、前記操作部の前記原点位置からの移動方向、前記操作量は、前記操作部の前記原点位置から距離であることを特徴とする請求項１乃至６のいずれか１項に記載の画像表示システム。
【請求項８】
前記制御内容決定ユニットは、
前記操作量が大きくなるに従って、前記第１の時間を長くし、前記第２の時間を短くすることを特徴とする請求項１乃至７のいずれか１項に記載の画像表示システム。
【請求項９】
前記操作デバイスが検知した操作方向及び操作量と、複数段階の制御コードを対応付けて記憶する制御コード記憶ユニットと、
前記制御コード記憶ユニットを参照して、前記操作デバイスが検知した操作方向と操作量に対応した制御コードを決定する制御コード決定ユニットと、
をさらに備え、
前記制御内容決定ユニットは、
前記制御コード決定ユニットが決定した制御コードに基づいて、早送り表示または早戻し表示の選択、並びに前記第１の時間及び前記第２の時間を決定することを特徴とする請求項１乃至８のいずれか１項に記載の画像表示システム。
【請求項１０】
前記動画コンテンツは、複数の場面に分類され、
前記第１の時間の代わりに、前記場面の数とすることを特徴とする請求項１記載の画像表示システム。
【請求項１１】
予め定めた順序で複数の画像コンテンツを早送り表示または早戻し表示する場合には、前記複数の画像コンテンツの中から、現在表示中の画像コンテンツを起点として所定の順序間隔に従って選択された所定数の画像コンテンツに対応する縮小画像それぞれを、前記予め定めた順序に従って画面上の所定の一方向に表示するとともに、
所定の時間間隔ごとに、
前記早送り表示の場合には、前記起点となる画像コンテンツを前記現在表示中の画像コンテンツより所定の順序間隔だけ後方の順序の画像コンテンツに設定し、前記早戻し表示の場合には、前記起点となる画像コンテンツを前記現在表示中の画像コンテンツより所定の順序間隔だけ前方の順序の画像コンテンツに設定し、設定した画像コンテンツを起点として前記第１の順序間隔ごとに選択された前記所定数のフレーム画像に対応するそれぞれの縮小画像を、前記所定の一方向に前記予め定めた順序で表示することにより、前記所定数の縮小画像を早送り表示または早戻し表示する画像表示システムであって、
操作方向及び操作量を検知可能な操作デバイスを備え、該操作デバイスを介して前記早送り表示または早戻し表示の指示を入力する操作入力ユニットと、
前記操作デバイスが検知した操作方向及び操作量に基づいて、早送り表示または早戻し表示を選択し、前記所定の順序間隔及び前記所定の時間間隔を決定する制御内容決定ユニットと、
前記制御内容決定ユニットが決定した早送り表示または早戻し表示の選択、及び決定した前記所定の順序間隔及び前記所定の時間間隔に基づいて、前記所定数の縮小画像それぞれを作成し、作成した前記所定数の縮小画像それぞれを前記所定の一方向に前記予め定めた順序で表示する表示画像を作成する画像作成ユニットと、
前記画像作成ユニットにより作成された前記表示画像を表示する表示ユニットと、
を備えることを特徴とする画像表示システム。
【発明の詳細な説明】
【技術分野】
【０００１】
本発明は、動画コンテンツまたは静止画コンテンツを表示する画像表示システムに関し、特に、複数のサムネイル画像を表示して所望のシーンや所望の画像を検索する画像表示技術に関する。
【背景技術】
【０００２】
ＤＶＤ（Digital Versatile Disc）プレーヤやＢＤ（Blu-ray Disc）ブレーヤなどのコンテンツ再生装置で映像を再生しているときに早送りや早戻しの操作を行って、目的のシーンを探すことがある。このような場合、ユーザは、スキャンしている時点の映像しか見ることができないため、目的のシーンより行き過ぎてしまい、目的のシーンを見逃してしまうことがある。【０００３】
この点、特許文献１には、再生中の静止画や動画が表示されている画面の下に３画像分のサムネイル画像を表示するとともに、所定時間毎にサムネイル画像を１コマずつ移動して、早送りや早戻しの操作中に所望の画像を見つけやすくする画像再生方法が開示されている。
【先行技術文献】
【特許文献】
【０００４】
【特許文献１】特許第４１５８３０４号公報
【発明の概要】
【発明が解決しようとする課題】
【０００５】
しかしながら、特許文献１に示す画像再生方法においては、コマ移動の速度は一定であり、速度調整はできないという問題がある。特に、動画コンテンツを再生中に目的のシーンを探す場合には、目的のシーンに近づくにつれて減速するなどの早送りや早戻しの速度調整ができないと目的のシーンを探しにくいという問題がある。【０００６】
本発明は、上記の事情を鑑みてなされたものであり、その課題の一例としては、簡単に早送り及び早戻しの速度変更が可能であり、目的のシーンや画像の検索が容易である画像表示システムを提供することにある。
【課題を解決するための手段】
【０００７】
上記の課題を達成するため、本発明の第１の態様は、動画コンテンツを早送り表示または早戻し表示する場合には、前記動画コンテンツを構成する複数のフレーム画像の中から、再生時点を起点として第１の時間の間隔ごとに選択された所定数のフレーム画像に対応するそれぞれの縮小画像を、画面上の所定の一方向に時間順に表示するとともに、第２の時間の間隔ごとに、前記早送り表示の場合には、前記再生時点を前記第１の時間だけ未来に設定し、前記早戻し表示の場合には、前記再生時点を前記第１の時間だけ過去に設定し、設定した前記再生時点を起点として前記第１の時間の間隔ごとに選択された前記所定数のフレーム画像に対応するそれぞれの縮小画像を、前記所定の一方向に時間順に表示することにより、前記所定数の縮小画像を早送り表示または早戻し表示する画像表示システムであって、操作方向及び操作量を検知可能な操作デバイスを備え、該操作デバイスを介して前記早送り表示または早戻し表示の指示を入力する操作指示ユニットと、前記操作デバイスが検知した操作方向に基づいて、早送り表示または早戻し表示の選択をし、前記操作デバイスが検知した操作量に基づいて、選択された早送り表示または早戻し表示における前記第１の時間及び前記第２の時間を決定する制御内容決定ユニットと、前記制御内容決定ユニットが決定した早送り表示または早戻し表示の選択、及び決定した前記第１の時間及び前記第２の時間に基づいて、前記所定数の縮小画像それぞれを作成し、作成した前記所定数の縮小画像それぞれを前記所定の一方向に時間順に表示する表示画像を作成する画像作成ユニットと、前記縮小画像作成ユニットにより作成された前記表示画像を表示する表示ユニットと、を備える。【０００８】
また、本発明の第２の態様は、予め定めた順序で複数の画像コンテンツを早送り表示または早戻し表示する場合には、前記複数の画像コンテンツの中から、現在表示中の画像コンテンツを起点として所定の順序間隔に従って選択された所定数の画像コンテンツに対応する縮小画像それぞれを、前記予め定めた順序に従って画面上の所定の一方向に表示するとともに、所定の時間間隔ごとに、前記早送り表示の場合には、前記起点となる画像コンテンツを前記現在表示中の画像コンテンツより所定の順序間隔だけ後方の順序の画像コンテンツに設定し、前記早戻し表示の場合には、前記起点となる画像コンテンツを前記現在表示中の画像コンテンツより所定の順序間隔だけ前方の順序の画像コンテンツに設定し、設定した画像コンテンツを起点として前記第１の順序間隔ごとに選択された前記所定数のフレーム画像に対応するそれぞれの縮小画像を、前記所定の一方向に前記予め定めた順序で表示することにより、前記所定数の縮小画像を早送り表示または早戻し表示する画像表示システムであって、操作方向及び操作量を検知可能な操作デバイスを備え、該操作デバイスを介して前記早送り表示または早戻し表示の指示を入力する操作入力ユニットと、前記操作デバイスが検知した操作方向及び操作量に基づいて、早送り表示または早戻し表示を選択し、前記所定の順序間隔及び前記所定の時間間隔を決定する制御内容決定ユニットと、前記制御内容決定ユニットが決定した早送り表示または早戻し表示の選択、及び決定した前記所定の順序間隔及び前記所定の時間間隔に基づいて、前記所定数の縮小画像それぞれを作成し、作成した前記所定数の縮小画像それぞれを前記所定の一方向に前記予め定めた順序で表示する表示画像を作成する画像作成ユニットと、前記画像作成ユニットにより作成された前記表示画像を表示する表示ユニットと、を備える。
【図面の簡単な説明】
【０００９】
【図１】本発明の実施の形態に係る画像表示システムの概略構成図である。
【図２】本発明の実施の形態に係る画像表示システムが早送りまたは早戻し表示をする場合の表示装置の表示画面を示す図である。
【図３】本発明の実施の形態に係るリモコン及びリモコンに設けられた操作量検知デバイスの外観を示す概要図である
【図４】本発明の実施の形態に係るリモコン及び再生装置の機能構成図である。
【図５】本発明の実施の形態に係る制御コードテーブルの内容を示す図である。
【図６】本発明の実施の形態に係る制御内容テーブルの内容を示す図である。
【図７】本発明の実施の形態に係る画像表示システムにおいて、制御コードがＦＦ３の場合の表示装置に表示されるサムネイル画像の変化の様子を示す図である。
【図８】本発明の実施の形態に係る画像表示システムにおいて、制御コードがＦＦ２からＦＦ３に変化する場合の表示装置に表示されるサムネイル画像の変化の様子を示す図である。
【図９】本発明の実施の形態に係る操作量検知デバイスの変形例の外観を示す概要図である。
【図１０】本発明の実施の形態に係る制御内容テーブルの変形例１の内容を示す図である。
【図１１】本発明の実施の形態に係る制御内容テーブルの変形例２の内容を示す図である。
【図１２】本発明の実施の形態に係る画像表示システムが早送りまたは早戻し表示をする場合の表示装置の表示画面の変形例を示す図である。
【図１３】本発明の実施の形態に係る画像表示システムが早送りまたは早戻し表示をする場合の表示装置の表示画面の変形例を示す図である。
【図１４】本発明の別の実施の形態に係る画像表示システムが早送りまたは早戻し表示をする場合の表示装置の表示画面を示す図である。
【図１５】本発明の別の実施の形態に係る画像表示システムが早送りまたは早戻し表示をする場合の表示装置の表示画面を示す図である。
【図１６】本発明の別の実施の形態に係る画像表示システムが早送りまたは早戻し表示をする場合の表示装置の表示画面を示す図である。
【発明を実施するための形態】
【００１０】
以下、本発明の実施の形態を図面を用いて説明する。
【００１１】
図１は、本発明の実施の形態に係る画像表示システム１０の概略構成を示す図である。画像表示システム１０は、動画コンテンツを再生する再生装置１と、再生装置１を遠隔操作するリモコン２と、再生装置２が再生した動画コンテンツを表示する表示装置３と、を備えている。画像表示システム１０は、早送りまたは早戻し時のコンテンツ表示（以下、早送りまたは早戻し表示という）に特徴を有している。すなわち、画像表示システム１０は、動画コンテンツを再生中に早送りまたは早戻しの指示がされると、表示装置３の再生画面下に、再生時点を中心とした複数のシーン（現在、過去及び未来のシーン）のサムネイル画像（縮小静止画像）を一覧表示するとともに、この複数のサムネイル画像を所定の更新間隔で更新表示して、早送りまたは早戻し表示を行うようになっている。そしてこのときの早送りまたは早戻し表示の速度（具体的には、隣接する各サムネイル画像間の時間間隔、及び各サムネイル画像の更新間隔。以下、隣接するサムネイル画像の間の時間間隔をＴ１、各サムネイル画像の更新間隔をＴ２と表記する）は、リモコン２に設けられた操作量検知デバイス２１（詳しくは後述する）の操作量に応じて、柔軟に調整されるようになっている。
【００１２】
図２（ａ）は、画像表示システム１０が早送りまたは早戻し表示をする場合の表示装置３の表示画面を示している。表示画面には、再生時点のシーンの静止画３１が表示されるとともに、表示画面下方に出現したサムネイル領域３２に、複数のサムネイル画像４１〜４３、５１、６１〜６３が表示される。なお、本実施の形態においては、表示画面の左右方向に沿って７つのサムネイル画像４１〜４３、５１、６１〜６３が表示される。
【００１３】
ここで、サムネイル画像５１は、再生時点のシーン（フレーム画像）のサムネイル画像（静止画３１と同一内容の静止画）であり、サムネイル領域３２の中央に他のサムネイル画像４１〜４３及び６１〜６３よりも大きな画像で表示される。サムネイル画像４１〜４３は、再生時点よりも過去のシーン（フレーム画像）のサムネイル画像であり、サムネイル画像５１の左側に表示される。左に行くほど再生時点から遠ざかり、より過去のシーンとなる。一方、サムネイル画像６１〜６３は、再生時点よりも未来のシーン（フレーム画像）のサムネイル画像であり、サムネイル画像５１の右側に表示される。右に行くほど再生時点から遠ざかり、より未来のシーンとなる。なお、本実施の形態においては、図２（ａ）に示すように、サムネイル画像４１〜４３及びサムネイル画像６１〜６３は、同一の大きさの画像で表示されるが、図２（ｂ）に示すように、早送り表示の場合は、サムネイル画像６１〜６３をサムネイル画像４１〜４３よりやや大きく表示し、図２（ｃ）に示すように、早戻り表示の場合は、サムネイル画像４１〜４３をサムネイル画像６１〜６３よりやや大きく表示するようにしてもよい。
【００１４】
このように、サムネイル領域３２の左右方向は、動画コンテンツの再生方向を示す時間軸となっており、左から右に向かうに従って、シーンは過去、現在そして未来と推移するようになっている。なお、本実施の形態においては、図２に示す複数のサムネイル画像４１〜４３、５１、６１〜６３における隣接するサムネイル画像の間の時間間隔Ｔ１は、いずれの間も同一であり（例えば、１秒など）、その値は、リモコン２から指示された早送りまたは早戻しの操作内容により決定される。
【００１５】
そして、このようなサムネイル画像４１〜４３、５１、６１〜６３の画像内容が所定の更新間隔Ｔ２（例えば、０．５秒など）で随時更新されていくので、サムネイル画像４１〜４３、５１、６１〜６３は早送りまたは早戻し表示されることとなる。詳しくは、早送り表示の場合には、更新間隔Ｔ２ごとに、再生時点を時間間隔Ｔ１だけ未来に進めて、進められた再生時点を中心に複数のサムネイル画像４１〜４３、５１、６１〜６３を作成し、作成したサムネイル画像４１〜４３、５１、６１〜６３を表示するようになっている。また、早戻し表示の場合には、更新間隔Ｔ２ごとに、再生時点を時間間隔Ｔ１だけ過去に戻して、戻された再生時点を中心に複数のサムネイル画像４１〜４３、５１、６１〜６３を作成し、作成したサムネイル画像４１〜４３、５１、６１〜６３を表示するようになっている。この結果、早送り表示の場合には、サムネイル領域３２に表示されるサムネイル画像４１〜４３、５１、６１〜６３が随時、再生時点よりも未来の画像に更新されていくことになる。また、早戻し表示の場合には、サムネイル領域３２に表示されるサムネイル画像４１〜４３、５１、６１〜６３が随時、再生時点よりも過去の画像に更新されていくことになる。なお、この更新間隔Ｔ２の値も、リモコン２から指示された早送りまたは早戻しの操作内容により決定される。
【００１６】
このように画像表示システム１０は、早送りまたは早戻し表示機能に特徴を有するので、以下、画像表示システム１０の早送りまたは早戻し表示機能について詳説する。
【００１７】
図３は、リモコン２及びリモコン２に設けられた操作量検知デバイス２１の外観を示す概要図である。リモコン２は、図３に示すように、その表面の略中央に操作量検知デバイス２１を備えている。なお、操作量検知デバイス２１の下方に記されている目盛り（例えば、０、１２７、−１２８など）は、操作量検知デバイス２１が検知した左右方向の移動量に対応するデジタル値を示しており、後述するデジタル化された移動量データの値である。
【００１８】
操作量検知デバイス２１は、左右方向にスライド可能であるとともに、復帰位置（原点）Ｐに対して復帰力を有する操作部２０１を備えている。操作量検知デバイス２１は、操作部２０１の復帰位置Ｐからの移動量に応じたアナログ値を出力するデバイスであり、例えば、移動量を可変抵抗で検出する場合には、移動量を電圧値として出力する。
【００１９】
リモコン２は、操作量検知デバイス２１の操作部２０１が復帰位置Ｐより右方向に操作された場合（正確には、操作部２０１の中心を、後述する移動量データの値が１０〜１２７となる範囲に位置づけた場合）には早送り、スライド部２０１が復帰位置Ｐより左方向に操作された場合（正確には、操作部２０１の中心を、後述する移動量データの値が−１２８〜−１０となる範囲に位置づけた場合）には早戻しを再生装置１に対して指示するようになっている。本実施の形態においては、操作部２０１の復帰位置Ｐからの移動量が大きいほど、早送りまたは早戻しの速度が速くなるように設定されている。
【００２０】
また、リモコン２は、操作部２０１が復帰位置Ｐの近傍にある場合（操作部２０１の中心を、後述する移動量データの値が−９〜９となる範囲に位置づけた場合）には、再生装置１に対して再生の指示を行うようになっている。なお、復帰位置Ｐから左右方向に移動した操作部２０１は、復帰位置Ｐへの復帰力を有しているので、操作部２０１に触れていた手を離すと、自動的に復帰位置Ｐに戻るようになっている。すなわち、操作部２０１から手を離した場合には、リモコン２は、再生装置１に対して再生の指示を行うようになっている。
【００２１】
このように本実施の形態においては、リモコン２に設けられた操作量検知デバイス２１の操作部２０１を左右方向にスライドさせることにより、早送りまたは早戻しの速度を調整できるので、表示装置３に表示されているサムネイル画像４１〜４３、５１、６１〜６３を見ながら、簡単に早送りまたは早戻しの速度を調整することができるようになっている。
【００２２】
図４は、リモコン２及び再生装置１の機能構成図である。リモコン２は、図４に示すように、操作量検知デバイス２１、Ａ／Ｄ変換部２２、制御コードテーブル２３、制御コード判定部２４、及び制御コード送信部２５を備えている。
【００２３】
操作量検知デバイス２１は、スライド部２０１の位置を検知し、検知した位置をアナログ値の位置データとしてＡ／Ｄ変換部２２に出力するようになっている。ここにいう位置データとは、その値が、スライド部２０１の操作方向（原点Ｐよりも左に操作したか、あるいは右に操作したか）及び操作量（原点Ｐからどれくらいの距離を操作したか）を示すデータである。
【００２４】
Ａ／Ｄ変換部２２は、操作量検知デバイス２１から出力されたアナログ値の位置データをデジタル変換し、デジタル値の位置データを制御コード判定部２４に出力するようになっている。本実施の形態では、Ａ／Ｄ変換部２２として８ビットＡ／Ｄ変換器を用いているので、デジタル値として、−１２８〜１２７の範囲の値を得ることができる（図３参照）。
【００２５】
制御コードテーブル２３は、デジタル変換された位置データの値と制御コードを対応付けて記憶しているデータテーブルであり、デジタル変換された位置データの値を制御コードに変換する際に参照される。図５に本実施の形態で用いる制御コードテーブル２３を示す。
【００２６】
図５に示す制御コードは、具体的には、早送り、早戻し、または再生を示すコードとなっており、ＦＦ１〜ＦＦ１０は早送りを示す制御コード、ＰＬＡＹは再生を示す制御コード、ＲＥＷ１〜１０は早戻しを示す制御コードである。このように本実施の形態の制御コードテーブル２３は、早送り及び早戻しの速度を１０段階に分けて管理しており、ＦＦまたはＲＥＷの後の数字が大きい制御コードほど、早送りまたは早戻しの速度が速くなることを示している。
【００２７】
なお、本実施の形態では、−１２８〜１２７の間を等間隔に分けて制御コードを割り当てるのではなく、早送りまたは早戻しの速度が低速になるほど割り当てられる位置データの範囲を広く取っている。例えば、ＦＦ１では１０〜３１（数値範囲は２２）、ＦＦ３では５０〜６５（数値範囲は１６）、ＦＦ６では９０〜９８（数値範囲は９）、ＦＦ１０では１２０〜１２７（数値範囲は８）である。これは、早送りまたは早戻しの操作を行う場合には、高速時よりも低速時の方が速度に対する正確性を求めることから、低速時における位置データの範囲を広くして低速時の操作性を向上させるようにしたものである。
【００２８】
制御コード判定部２４は、Ａ／Ｄ変換部２２から出力された位置データ及び制御コードテーブル２３に基づいて、再生装置１に送信する制御コードを決定するようになっている。すなわち、制御コード判定部２４は、制御コードテーブル２３を参照して、Ａ／Ｄ変換部２２から出力された位置データの値に対応する制御コードを取得することにより、位置データの値を制御コードに変換するようになっている。例えば、Ａ／Ｄ変換部２２から出力された位置データの値が４０の場合には、制御コード判定部２３は、制御コード「ＦＦ２」を決定する。
【００２９】
なお、制御コードが早送りまたは早戻しを示す制御コードから再生を示す制御コードに変化した場合には、制御コード判定部２４は、予め定められた待ち時間（例えば、５００ｍ秒など）を待って、制御コードに変化がなければ（早送りまたは早戻しを示す制御コードに変化していなければ）、制御コードを、再生を示す制御コードに決定する。これは、ユーザの操作が早送りから早戻しに移行する場合、または早戻りから早送りに移行する場合には、操作の途中で原点Ｐを通過するので、このような場合には再生の指示を与えないようにするためである。
【００３０】
制御コード送信部２５は、制御コード判定部２４が決定した制御コードを、無線通信を介して再生装置１に送信するようになっている。本実施の形態においては、無線通信に赤外線通信を用いているが、他の通信方式、例えば、ＲＦ（Radio Frequency）通信を用いてもよい。
【００３１】
一方、再生装置１は、図４に示すように、制御コード受信部１１、制御内容テーブル１２、制御内容決定部１３、画像データ作成部１４、及び画像データ出力部１５を備えている。なお、再生装置１としては、例えば、具体的には、ＢＤ（Blu-ray Disc）プレーヤ、ＢＤレコーダ、ＤＶＤ（Digital Versatile Disc）プレーヤ、ＤＶＤレコーダ、ＨＤＤ（Hard Disk Drive）レコーダなどが想定される。
【００３２】
制御コード受信部１１は、リモコン２から送信された制御コードを受信し、受信した制御コードを制御内容決定部１３に出力するようになっている。
【００３３】
制御内容テーブル１２は、制御コードと表示装置３に表示されるサムネイル画像の制御内容を対応付けて記憶しているデータテーブルである。ここで、サムネイル画像の制御内容とは、早送りまたは早戻しの速度を示す値であり、具体的には、サムネイル領域３２に表示される複数のサムネイル画像４１〜４３、５１、６１〜６３において隣接する各サムネイル画像間の時間間隔Ｔ１、及びサムネイル画像サムネイル画像４１〜４３、５１、６１〜６３の更新間隔（リフレッシュレート）Ｔ２を示している。図６に本実施の形態で用いる制御内容テーブル１２を示す。
【００３４】
図６に示す制御内容テーブル１２は、低速時（ＦＦ１〜ＦＦ５、ＲＥＷ１〜ＲＥＷ５）においては、時間間隔Ｔ１を一定（１秒）とし、速度を速くするに従って、更新間隔Ｔ２を短くしている。すなわち、本実施の形態では、低速時（ＦＦ１〜ＦＦ５、ＲＥＷ１〜ＲＥＷ５）には、更新間隔Ｔ２を短くすることにより、各サムネイル画像４１〜４３、５１、６１〜６３のコマ送りの速度を上げている。一方、制御内容テーブル１２は、高速時（ＦＦ６〜ＦＦ１０、ＲＥＷ６〜ＲＥＷ１０）においては、速度が速くなるに従って、時間間隔Ｔ１を長くするとともに更新間隔Ｔ２を短くしている。すなわち、高速時（ＦＦ６〜ＦＦ１０、ＲＥＷ６〜ＲＥＷ１０）には、時間間隔Ｔ１を長くするともに更新間隔Ｔ２を短くすることにより、各サムネイル画像４１〜４３、５１、６１〜６３のコマ送りの速度を上げている。
【００３５】
制御内容決定部１３は、制御コード受信部１１から出力された制御コード、及び制御内容テーブル１２に基づいて、表示装置３に表示されるサムネイル画像４１〜４３、５１、６１〜６３の制御内容を決定するようになっている。すなわち、制御内容決定部１３は、制御内容テーブル１２を参照して、制御コード受信部１１から出力された制御コードに対応する制御内容を取得し、制御コードを制御内容に変換するようになっている。例えば、受信した制御コードの値が「ＦＦ３」の場合には、制御内容決定部１３は、時間間隔Ｔ１を１秒、更新間隔Ｔ２を０．２秒と決定する。
【００３６】
画像データ作成部１４は、制御内容決定部１３で決定されたサムネイル画像の制御内容に従って、サムネイル画像４１〜４３、５１、６１〜６３を作成し、作成したサムネイル画像４１〜４３、５１、６１〜６３を含む画像データを画像データ出力部１５に出力するようになっている。より詳しくは、動画コンテンツを構成しているフレーム画像の中から、決定された時間間隔Ｔ１に従って、再生時点を中心とした現在、過去、及び未来の７つのフレーム画像を選択し、選択された７つのフレーム画像に対応するサムネイル画像をそれぞれ作成するようになっている。また、決定された更新間隔Ｔ２ごとに、再生時点を時間間隔Ｔ１だけ未来（早送りの場合）または過去（早戻しの場合）に移動するとともに、決定された時間間隔Ｔ１に従って、移動した再生時点を中心とした現在、過去、及び未来の７つのフレーム画像を選択し、選択された７つのフレーム画像に対応するサムネイル画像をそれぞれ作成するようになっている。また、再生時点における静止画３１を作成し、上述したサムネイル画像と合わせて、表示装置３に表示される表示画面の画像データを作成している。
【００３７】
なお、本実施の形態においては、再生時点のフレーム画像が００フレームでない場合には（１秒の途中のフレーム画像が選択された場合には）、００フレームでないサムネイル４１〜４３、５１、６１〜６３が作成されるが、これとは別に、００フレームに対応するサムネイル画像４１〜４３、５１、６１〜６３が作成されるようにしてもよい。例えば、再生時点のフレーム画像が５分３１秒１５フレームの場合には、本実施の形態においては、５分３１秒１５フレームのサムネイル画像５１が作成されるが、５分３１秒００フレームのサムネイル画像５１が作成されるようにしてもよい。
【００３８】
画像データ出力部１５は、画像データ作成部１４が作成したサムネイル画像４１〜４３、５１、６１〜６３を含む画像データを表示装置３に出力するようになっている。なお、表示装置３としては、例えば、具体的には、ＴＶ（Television）、モニターなどが想定される。また、本実施の形態においては、再生装置１と表示装置３は、物理的に別筐体の装置としたが、これに限定されず、双方の機能を備えた１つの装置としてもよい。
【００３９】
図７は、制御コードが「ＦＦ３」の場合の表示装置３に表示される表示画面の変化の様子を示している。なお、表示装置３に表示される静止画３１は省略している。また、図７及び図８に示したサムネイル画像４１〜４３、５１、６１〜６３内の時刻は、サムネイル画像４１〜４３、５１、６１〜６３の画像内容を識別するために説明上付したものであり、実際には表示されない。例えば、「５：３０」と記されたサムネイル画像５１は、動画コンテンツのコンテンツ開始位置から５分３０秒後のフレーム画像に対するサムネイル画像であることを示している。以下、画像内に５：３０と記されたサムネイル画像は、５：３０のサムネイル画像と称して説明を行う。
【００４０】
制御コードが「ＦＦ３」の場合には、時間間隔Ｔ１は１秒なので、例えば、再生時点が５分３０秒であるときには、５分３０秒のサムネイル画像５１、５分２７秒のサムネイル画像４１、５分２８秒のサムネイル画像４２、５分２９秒のサムネイル画像４３、５分３１秒のサムネイル画像６１、５分３２秒のサムネイル画像６２、及び５分３３秒のサムネイル画像６３が表示装置３のサムネイル領域３２に表示される。そして、制御コードが「ＦＦ３」の場合には、更新間隔Ｔ２は０．２秒なので、再生時点が５分３０秒であるときのサムネイル表示の開始から０．２秒が経過すると、再生時点が５分３１秒となり、５分３１秒のサムネイル画像５１、５分２８秒のサムネイル画像４１、５分２９秒のサムネイル画像４２、５分３０秒のサムネイル画像４３、５分３２秒のサムネイル画像６１、５分３３秒のサムネイル画像６２、５分３４秒のサムネイル画像６３が表示装置３のサムネイル領域３４に表示される。
【００４１】
このように、制御コードが「ＦＦ３」の場合には、０．２秒ごとに各サムネイル画像が１コマずつ左に移動していくことにより、早送り表示が行われる。
【００４２】
図８は、制御コードが途中で「ＦＦ２」から「ＦＦ３」に変化する場合の表示装置３に表示されるサムネイル画像４１〜４３、５１、６１〜６３の変化の様子を示している。この場合には、時間間隔Ｔ１は１秒のまま変わらないが、更新間隔Ｔ２は０．３秒から０．２秒に変化するので、各サムネイル画像の１コマずつ左に移動していくコマ送りの速度が途中からさらに速くなって、早送り表示が行われる。
【００４３】
以上述べたように、本実施の形態の画像表示システム１０によれば、動画コンテンツの早送りまたは早戻し表示をする場合に、簡単に早送り及び早戻しの速度変更が可能であり、目的のシーンの検索が容易である。
【００４４】
すなわち、本実施の形態の画像表示システム１０によれば、リモコン２は、左右方向にスライド操作可能な操作量検知デバイス２１を備えているので、ユーザは、表示装置３に表示された複数のサムネイル画像４１〜４３、５１、６１〜６３を見ながら、簡単に早送りまたは早戻しの速度を変えて目的のシーンを探すことができる。
【００４５】
例えば、ユーザが、高速に早送り表示されている複数のサムネイル画像４１〜４３、５１、６１〜６３を見て、目的のシーンが近づいてきたと感じたときは、操作量検知デバイス２１の操作部２０１を操作して、低速に早送り表示させるようにすれば、目的のシーンが行き過ぎることなく、簡単に目的のシーンを探し出すことができる。また、早送り表示させて、目的のシーンが行き過ぎてしまった場合でも、操作量検知デバイス２１の操作部２０１を早送り方向から早戻し方向に方向転換するというスライド操作だけで早戻し表示をすることができるので、早送り表示と早戻し表示の転換が容易である。
【００４６】
また、本実施の形態の画像表示システム１０によれば、７つのサムネイル画像４１〜４３、５１、６１〜６３を表示するので、ユーザは、現在・過去・未来のシーンを時系列にして一覧に見ることができ、前後のシーンの流れから目的のシーンを探しやすいという効果がある。
【００４７】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【００４８】
例えば、上記実施の形態においては、操作量検知デバイス２１を左右方向にスライドするスライド型の操作量検知デバイスとしたが、この構成に限定されず、操作量検知デバイスに対する操作方向及び操作量を検知することができるデバイスであれば、いずれの構成としてもよい。
【００４９】
例えば、図９（ａ）に示すようなシャトル型の操作量検知デバイス２１Ａとしてもよい。操作量検知デバイス２１Ａは、左右方向に回転可能な操作部２０１Ａを備えており、操作部２０１Ａの復帰位置（原点）Ｐ１からの回転方向により早戻しまたは早送りを選択し、復帰位置Ｐ１からの回転量により早戻しまたは早送りの速度を調整するものである。具体的には、操作部２０１Ａが復帰位置Ｐ１より右周りに回転した場合は早送り、復帰位置Ｐ１より左回りに回転した場合は早戻しが選択され、復帰位置Ｐ１からの回転量が大きくなるほど、早送りまたは早戻しの速度は速くなるように調整されている。
【００５０】
また、図９（ｂ）に示すようなシーソー型の操作量検知デバイス２１Ｂとしてもよい。操作量検知デバイス２１Ｂは、左右方向の一端及び他端が復帰位置Ｐ２を中心に上下方向に沈み込む操作部２０１Ｂを備えており、操作部２０１Ｂの沈み込む位置により、早戻しまたは早送りを選択し、沈み込む量により早戻しまたは早送りの速度を調整している。具体的には、操作部の右端部２０１ＢＲが沈み込む場合は早送り、左端部２０１ＢＬが沈み込む場合は早戻しが選択され、定常状態（再生状態でもあり、右端部２０１ＢＲ及び左端２０１ＢＬの双方が沈んでいない状態）からの沈み量が大きくなるほど、早送りまたは早戻しの速度は速くなるように調整されている。
【００５１】
また、図９（ｃ）に示すようなジョイスティック型の操作量検知デバイス２１Ｃとしてもよい。操作量検知デバイス２０１Ｃは、左右方向に倒し込み可能な操作部２０１Ｃを備えており、操作部２０１Ｃの定常状態（再生状態でもあり、操作部２０１が鉛直上方を向いている状態）からの倒し込み方向により早戻しまたは早送りを選択し、定常状態からの倒し込み角度により早戻しまたは早送りの速度を調整するものである。具体的には、操作部２０１Ｃが定常状態より右方向に倒し込まれた場合は早送り、操作部２０１Ｃが左方向に倒し込まれた場合は早戻しが選択され、定常状態からの倒し込み角度が大きくなるほど、早送りまたは早戻しの速度は速くなるように調整されている。
【００５２】
なお、上述した操作量検知デバイス２１Ａ、Ｂ及びＣは、いずれも復帰位置（定常状態）への復帰力を有しているので、手を離すと、復帰位置（定常状態）に戻るようになっている。
【００５３】
また、操作量検知デバイスとしては、圧力を操作量として検知する圧力検知デバイスでもよい。この場合にも、圧力検知デバイスは、操作方向（早送りか早戻しの選択）及び操作量（圧力の大きさ）を検知可能な構成であり、例えば、図９（ｂ）に示すような構成を採用して、左右方向の一端または他端の選択が早送りまたは早戻しの選択に相当し、左右方向の一端及び他端が検知する圧力の大きさが早送りまたは早戻しの速度を決定するようにしてもよい。また、早送りまたは早戻しに対応するボタンをそれぞれ設け、それぞれのボタンが検知する圧力の大きさに応じて早送りまたは早戻しの速度を決定するようにしてもよい。
【００５４】
また、上記実施形態においては、図６に示す制御内容テーブル１２を用いて制御内容を決定したが、制御内容テーブル１２の制御内容はこれに限定されない。例えば、図１０に示すような制御内容テーブル１２Ａとしてもよいし、また、図１１に示すような制御内容テーブル１２Ｂとしてもよい。なお、図１０及び図１１に示す制御内容テーブル１２Ａ及び１２Ｂには、早送りのときの制御内容だけを記載している。
【００５５】
図１０に示す制御内容テーブル１２Ａは、早送りの速度によらず時間間隔Ｔ１は一定（１秒）であり、速度が速くなるに従って、更新間隔Ｔ２は短くなっていく場合を示している。また、図１１に示す制御内容テーブル１２Ｂは、早送りの速度が速くなるに従って、概略、時間間隔Ｔ１は倍増して広がっていき、更新間隔Ｔ２が短くなっていく場合を示している。このように、制御内容テーブル１２の内容は種々設定が可能である。
【００５６】
また、上記実施の形態においては、サムネイル領域３２に７つのサムネイル画像４１〜４３、５１、６１〜６３を表示し、その中心に再生時点のシーンのサムネイル画像５１を表示したが、再生時点のシーンのサムネイル画像５１の表示位置はこれに限定されない。
【００５７】
例えば、図１２に示すように、早送り時には、再生時点のシーンのサムネイル画像５１をサムネイル領域３２の左端に配置し、サムネイル画像５１の右側に、この再生時点よりも未来のシーンのサムネイル画像６１〜６６を配置するようにしてもよい。この場合には、未来のシーンのサムネイルが数多く（６つ）表示されることから、再生時点よりも未来のシーンに対する検索がさらに容易となる。同様にして、早戻り時には、再生時点のシーンのサムネイル画像５１をサムネイル領域３２の右端に配置し、サムネイル画像５１の左側に、この再生時点よりも過去のシーンのサムネイル画像４１〜４６を配置するようにしてもよい。この場合には、過去のシーンのサムネイルが数多く（６つ）表示されることから、再生時点よりも過去のシーンに対する検索がさらに容易となる。
【００５８】
また、図１３に示すように、早送りまたは早戻しの速度に応じて、再生時点のシーンのサムネイル画像５１の位置を変化させてもよい。すなわち、早送りの速度が速くなるに従って、再生時点のシーンのサムネイル画像５１をサムネイル領域３２の中心から左端に向かって徐々に移動して配置するようにしてもよい。例えば、制御コードがＦＦ１のときには、中心に配置されているサムネイル画像５１は、制御コードがＦＦ２〜ＦＦ４のときには、左から３番目の位置に配置され、制御コードがＦＦ５〜ＦＦ７のときには、左から２番目の位置に配置され、制御コードがＦＦ８〜ＦＦ１０のときには、一番左の位置に配置される。同様にして、早戻しの速度が速くなるに従って、再生時点のシーンのサムネイル画像５１をサムネイル領域３２の中心から右端に向かって徐々に移動して配置するようにしてもよい。例えば、制御コードがＲＥＷ１のときには、中心に配置されているサムネイル画像５１は、制御コードがＲＥＷ２〜ＲＥＷ４のときには、右から３番目の位置に配置され、制御コードがＲＥＷ５〜ＲＥＷ７のときには、右から２番目の位置に配置され、制御コードがＲＥＷ８〜ＲＥＷ１０のときには、一番右の位置に配置される。
【００５９】
この場合、当然のことながら、サムネイル画像５１の配置位置の変化に伴って、未来または過去のシーンのサムネイル画像の数も変化する。すなわち、早送り表示の場合には、速度を上げるに従って、未来のシーンのサムネイル画像の数が増え、過去のシーンのサムネイル画像の数が減っていく。同様にして、早戻し表示の場合には、早戻し速度を上げるに従って、過去のシーンのサムネイル画像が増え、未来のシーンのサムネイル画像が減っていく。
【００６０】
なお、上記実施の形態の画像表示システム１０は、サムネイル領域３２に７つのサムネイル画像を表示したが、サムネイル領域３２に表示されるサムネイル画像の数はこれに限定されない。例えば、サムネイル領域３２に５つのサムネイル画像を表示するようにしてもよい。この場合には、再生時点のサムネイル画像に加えて、過去及び未来のサムネイル画像を２つずつ表示することになる。
【００６１】
なお、上記実施の形態の画像表示システム１０は、早送りまたは早戻し表示機能を動画コンテンツのシーン検索に適用したが、他の用途に適用してもよい。
【００６２】
例えば、画像表示システム１０の早送りまたは早戻し機能を動画コンテンツのチャプター検索に対して適用してもよい。図１４は、画像表示システム１０の早送りまたは早戻し表示機能を動画コンテンツのチャプター検索に適用した場合の表示装置３に表示される早送りまたは早戻し表示の画面である。
【００６３】
この場合は、表示画面には、再生時点のシーンの静止画３１が表示されるとともに、サムネイル領域３２には、複数のサムネイル画像４１〜４３、５１、６１〜６３が表示される。サムネイル画像５１は、再生時点のシーンのサムネイル画像（静止画３１と同一内容の静止画）である。サムネイル画像４１〜４３は、それぞれ、再生時点よりも過去のチャプターの先頭フレーム画像のサムネイル画像であり、サムネイル画像５１の左側に表示される。左に行くほど再生時点から遠ざかり、より過去のシーンとなる。一方、サムネイル画像６１〜６３は、再生時点よりも未来のチャプターの先頭フレーム画像のサムネイル画像であり、サムネイル画像５１の右に表示される。右に行くほど再生時点から遠ざかり、より未来のシーンとなる。
【００６４】
この場合には、操作量検知デバイス２１が検知した操作量により、隣接するサムネイル画像のチャプター間隔Ｔ１（チャプター）、及びサムネイル画像の更新間隔Ｔ２（秒）を決定する。ここで、チャプター間隔Ｔ１は、操作量検知デバイス２１が検知した操作量が大きくなるに従って、チャプター間隔Ｔ１を長くし、更新間隔Ｔ２を短くしていくのが好適である。例えば、一例としては、操作量検知デバイス２１が検知した操作量が小さい場合には、チャプター間隔Ｔ１を１として、すべてのチャプターのサムネイル画像を表示するようにし、操作量検知デバイス２１が検知した操作量が大きい場合には、チャプター間隔Ｔ１を３として、３チャプターごとにサムネイル画像を表示するようにしてもよい。図１４は、チャプター間隔Ｔ１が３の場合を示している。なお、図１４に示したサムネイル画像内のチャプター表示は、各サムネイル画像の画像内容を識別するために説明上付したものであり、実際には表示されない。
【００６５】
このように、画像表示システム１０の早送りまたは早戻し機能を動画コンテンツのチャプター検索に対して適用した場合には、ユーザは操作量検知デバイス２１を操作することにより、チャプターの先頭シーンの流れる速度を柔軟に変更することができるので、目的のチャプターを探すことが容易となる。
【００６６】
また、画像表示システム１０の早送りまたは早戻し表示機能をスライドショーに対して適用してもよい。図１５は、画像表示システム１０の早送りまたは早戻し表示機能を写真画像のスライドショーに適用した場合の表示装置３に表示される早送りまたは早戻し表示の画面である。このように複数の写真画像を予め定められた順番で表示するスライドショーにおいて、早送りまたは早戻し表示をする場合には、図１５に示すように、表示画面には、現在再生されている写真画像３１が表示されるとともに、サムネイル領域３２には、複数のサムネイル画像４１〜４３、５１、６１〜６３が表示される。サムネイル画像５１は、現在再生されている写真画像３１のサムネイル画像である。サムネイル画像４１〜４３は、すでに表示された写真画像のサムネイル画像であり、サムネイル画像５１の左に表示される。左に行くほど現在再生されている写真画像３１の順番よりも前の順番の写真画像となる。一方、サムネイル画像６１〜６３は、これから表示する写真画像のサムネイル画像であり、サムネイル画像５１の右に表示される。右に行くほど現在再生されている写真画像３１の順番よりも後の順番の写真画像となる。
【００６７】
この場合には、操作量検知デバイス２１が検知した操作量により、隣接するサムネイル画像の枚数間隔Ｔ１（枚数）、及びサムネイル画像の更新間隔Ｔ２（秒）を決定するようになっている。ここで、枚数間隔Ｔ１は、操作量検知デバイス２１が検知した操作量が大きくなるに従って、枚数間隔Ｔ１を長くし、更新間隔Ｔ２を短くしていくのが好適である。例えば、一例としては、操作量検知デバイス２１が検知した操作量が小さい場合には、枚数間隔Ｔ１を１として、間引きせずすべての写真画像のサムネイル画像を表示するようにし、操作量検知デバイス２１が検知した操作量が大きい場合には、枚数間隔Ｔ１を３として、２枚間引いて、３枚ごとにサムネイル画像を表示するようにしてもよい。
【００６８】
このように、画像表示システム１０の早送りまたは早戻し機能をスライドショーに対して適用した場合には、ユーザは操作量検知デバイス２１を操作することにより、写真画像の流れる速度を柔軟に変更することができるので、目的の写真画像を探すことが容易となる。
【００６９】
また、画像表示システム１０の早送りまたは早戻し機能を音楽再生装置のジャケット検索に対して適用してもよい。図１６は、画像表示システム１０の早送りまたは早戻し表示機能を音楽再生装置のジャケット検索に適用した場合の表示装置３に表示される早送りまたは早戻し表示の画面である。このように複数のジャケット写真画像を予め定められた順番（例えば、アーティストの名前順やアルバムのタイトル順など）で表示して所望の音楽を検索するＣＤジャケット検索において、早送りまたは早戻し表示をする場合には、図１６に示すように、表示画面上に現在再生中の音楽のジャケット写真画像３１を表示するとともに、サムネイル領域３２には、複数のサムネイル画像４１〜４３、５１、６１〜６３が表示される。サムネイル画像５１は、現在再生されている音楽のジャケット写真画像３１のサムネイル画像である。サムネイル画像４１〜４３は、現在再生中の音楽のジャケット写真画像３１よりも順番が前のジャケット写真画像のサムネイル画像であり、サムネイル画像５１の左に表示される。左に行くほど現在再生中の音楽のジャケット写真画像３１の順番よりも前の順番の写真画像となる。一方、サムネイル画像６１〜６３は、現在再生中の音楽のジャケット写真画像３１よりも順番が後のジャケット写真画像のサムネイル画像であり、サムネイル画像５１の右に表示される。右に行くほど現在再生中の音楽のジャケット写真画像３１の順番よりも後の順番のジャケット写真画像となる。
【００７０】
この場合には、操作量検知デバイス２１が検知した操作量により、隣接するサムネイル画像の枚数間隔Ｔ１（枚数）、及びサムネイル画像の更新間隔Ｔ２（秒）を決定するようになっている。ここで、枚数間隔Ｔ１は、操作量検知デバイス２１が検知した操作量が大きくなるに従って、枚数間隔Ｔ１を長くし、更新間隔Ｔ２を短くしていくのが好適である。例えば、一例としては、操作量検知デバイス２１が検知した操作量が小さい場合には、枚数間隔Ｔ１を１として、間引きせずすべてのジャケット写真画像のサムネイル画像を表示するようにし、操作量検知デバイス２１が検知した操作量が大きい場合には、枚数間隔Ｔ１を３として、２枚間引いて、３枚ごとにジャケット写真画像のサムネイル画像を表示するようにしてもよい。また、操作量検知デバイス２１が検知した操作量が最大の場合には、各アルファベットの先頭のジャケット写真画像のサムネイル画像を表示するようにしてもよい。
【００７１】
このように、画像表示システム１０の早送りまたは早戻し機能を音楽再生装置のジャケット検索に対して適用した場合には、ユーザは操作量検知デバイス２１を操作することにより、ジャケット写真画像の流れる速度を柔軟に変更することができるので、目的のジャケット写真画像を探すことが容易となる。
【００７２】
なお、図１６においては、検索対象の画像が静止画（ジャケット写真画像）であったが、動画としてもよい。すなわち、複数の動画を所定の順番で表示して所望の動画コンテンツを検索する動画検索に画像表示システム１０の早送りまたは早戻し表示機能を適用してもよい。
【符号の説明】
【００７３】
１  再生装置
２  リモコン
３  表示装置
１０  画像表示システム
１１  制御コード受信部
１２，１２Ａ，１２Ｂ  制御内容テーブル
１３  制御内容決定部
１４  画像データ作成部
１５  画像データ出力部
２１，２１Ａ，２１Ｂ，２１Ｃ  操作量検知デバイス
２２  Ａ／Ｄ変換部
２３  制御コードテーブル
２４  制御コード判定部
２５  制御コード送信部
４１，４２，４３，４４，４５，４６、５１，６１，６２，６３，６４，６５，６６  サムネイル画像
２０１，２０１ＢＬ，２０１ＢＲ，２０１Ｃ  操作部
【図１】
2010122644.tif 000003
【図２】
2010122644.tif 000004
【図３】
2010122644.tif 000005
【図４】
2010122644.tif 000006
【図５】
2010122644.tif 000007
【図６】
2010122644.tif 000008
【図７】
2010122644.tif 000009
【図８】
2010122644.tif 000010
【図９】
2010122644.tif 000011
【図１０】
2010122644.tif 000012
【図１１】
2010122644.tif 000013
【図１２】
2010122644.tif 000014
【図１３】
2010122644.tif 000015
【図１４】
2010122644.tif 000016
【図１５】
2010122644.tif 000017
【図１６】
2010122644.tif 000018
【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
動画コンテンツを早送り表示または早戻し表示する場合には、前記動画コンテンツを構成する複数のフレーム画像の中から、再生時点を起点として第１の時間の間隔ごとに選択された所定数のフレーム画像に対応するそれぞれの縮小画像を、画面上の所定の一方向に時間順に表示するとともに、
第２の時間の間隔ごとに、
前記早送り表示の場合には、前記再生時点を前記第１の時間だけ未来に設定し、前記早戻し表示の場合には、前記再生時点を前記第１の時間だけ過去に設定し、設定した前記再生時点を起点として前記第１の時間の間隔ごとに選択された前記所定数のフレーム画像に対応するそれぞれの縮小画像を、前記所定の一方向に時間順に表示することにより、前記所定数の縮小画像を早送り表示または早戻し表示する画像表示システムであって、
操作方向及び操作量を検知可能な操作デバイスを備え、該操作デバイスを介して前記早送り表示または早戻し表示の指示を入力する操作指示ユニットと、
前記操作デバイスが検知した操作方向に基づいて、早送り表示または早戻し表示の選択をし、前記操作デバイスが検知した操作量に基づいて、選択された早送り表示または早戻し表示における前記第１の時間及び前記第２の時間を決定する制御内容決定ユニットと、
前記制御内容決定ユニットが決定した早送り表示または早戻し表示の選択、及び決定した前記第１の時間及び前記第２の時間に基づいて、前記所定数の縮小画像それぞれを作成し、作成した前記所定数の縮小画像それぞれを前記所定の一方向に時間順に表示する表示画像を作成する画像作成ユニットと、
前記画像作成ユニットにより作成された前記表示画像を表示する表示ユニットと、
を備え、
前記制御内容決定ユニットは、
前記操作量が大きくなるに従って、前記第１の時間を長くする、もしくは前記第２の時間を短くすることを特徴とする画像表示システム。
【請求項２】
前記所定数の縮小画像は、前記再生時点のフレーム画像に対応する縮小画像、前記再生時点より過去の時点のフレーム画像に対応する縮小画像、及び前記再生時点より未来の時点のフレーム画像に対応する縮小画像を含むことを特徴とする請求項１記載の画像表示システム。
【請求項３】
前記再生時点のフレーム画像に対応する縮小画像は、前記所定の一方向に沿って表示される前記所定数の縮小画像の中心に表示されることを特徴とする請求項２記載の画像表示システム。
【請求項４】
前記再生時点のフレーム画像に対応する縮小画像は、他の前記縮小画像よりも画像が大きいことを特徴とする請求項２又は３記載の画像表示システム。
【請求項５】
前記再生時点のフレーム画像は、前記所定数の縮小画像とともに前記画面上に表示されることを特徴とする請求項２乃至４のいずれか１項に記載の画像表示システム。
【請求項６】
前記画像作成ユニットは、
前記第１の時間及び前記第２の時間に基づいて、前記再生時点より過去のフレーム画像に対応する縮小画像の数、及び前記再生時点より未来のフレーム画像に対応する縮小画像の数を変化させることを特徴とする請求項２乃至５のいずれか１項に記載の画像表示システム。
【請求項７】
前記操作デバイスは、左右方向にスライド可能であるとともに、原点位置に対する復帰力を有する操作部を備え、
前記操作方向は、前記操作部の前記原点位置からの移動方向、前記操作量は、前記操作部の前記原点位置から距離であることを特徴とする請求項１乃至６のいずれか１項に記載の画像表示システム。
【請求項８】
（削除）
【請求項９】
前記操作デバイスが検知した操作方向及び操作量と、複数段階の制御コードを対応付けて記憶する制御コード記憶ユニットと、
前記制御コード記憶ユニットを参照して、前記操作デバイスが検知した操作方向と操作量に対応した制御コードを決定する制御コード決定ユニットと、
をさらに備え、
前記制御内容決定ユニットは、
前記制御コード決定ユニットが決定した制御コードに基づいて、早送り表示または早戻し表示の選択、並びに前記第１の時間及び前記第２の時間を決定することを特徴とする請求項１乃至８のいずれか１項に記載の画像表示システム。
【請求項１０】
前記動画コンテンツは、複数の場面に分類され、
前記第１の時間の代わりに、前記場面の数とすることを特徴とする請求項１記載の画像表示システム。
【請求項１１】
予め定めた順序で複数の画像コンテンツを早送り表示または早戻し表示する場合には、前記複数の画像コンテンツの中から、現在表示中の画像コンテンツを起点として所定の順序間隔に従って選択された所定数の画像コンテンツに対応する縮小画像それぞれを、前記予め定めた順序に従って画面上の所定の一方向に表示するとともに、
所定の時間間隔ごとに、
前記早送り表示の場合には、前記起点となる画像コンテンツを前記現在表示中の画像コンテンツより所定の順序間隔だけ後方の順序の画像コンテンツに設定し、前記早戻し表示の場合には、前記起点となる画像コンテンツを前記現在表示中の画像コンテンツより所定の順序間隔だけ前方の順序の画像コンテンツに設定し、設定した画像コンテンツを起点として前記所定の順序間隔ごとに選択された前記所定数のフレーム画像に対応するそれぞれの縮小画像を、前記所定の一方向に前記予め定めた順序で表示することにより、前記所定数の縮小画像を早送り表示または早戻し表示する画像表示システムであって、
操作方向及び操作量を検知可能な操作デバイスを備え、該操作デバイスを介して前記早送り表示または早戻し表示の指示を入力する操作入力ユニットと、
前記操作デバイスが検知した操作方向及び操作量に基づいて、早送り表示または早戻し表示を選択し、前記所定の順序間隔及び前記所定の時間間隔を決定する制御内容決定ユニットと、
前記制御内容決定ユニットが決定した早送り表示または早戻し表示の選択、及び決定した前記所定の順序間隔及び前記所定の時間間隔に基づいて、前記所定数の縮小画像それぞれを作成し、作成した前記所定数の縮小画像それぞれを前記所定の一方向に前記予め定めた順序で表示する表示画像を作成する画像作成ユニットと、
前記画像作成ユニットにより作成された前記表示画像を表示する表示ユニットと、
を備え、
前記制御内容決定ユニットは、
前記操作量が大きくなるに従って、前記所定の順序間隔を長くする、もしくは前記所定の時間間隔を短くすることを特徴とする画像表示システム。
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
動画コンテンツを早送り表示または早戻し表示する場合には、前記動画コンテンツを構成する複数のフレーム画像の中から、再生時点を起点として第１の時間の間隔ごとに選択された所定数のフレーム画像に対応するそれぞれの縮小画像を、画面上の所定の一方向に時間順に表示するとともに、
第２の時間の間隔ごとに、
前記早送り表示の場合には、前記再生時点を前記第１の時間だけ未来に設定し、前記早戻し表示の場合には、前記再生時点を前記第１の時間だけ過去に設定し、設定した前記再生時点を起点として前記第１の時間の間隔ごとに選択された前記所定数のフレーム画像に対応するそれぞれの縮小画像を、前記所定の一方向に時間順に表示することにより、前記所定数の縮小画像を早送り表示または早戻し表示する画像表示システムであって、
操作方向及び操作量を検知可能な操作デバイスを備え、該操作デバイスを介して前記早送り表示または早戻し表示の指示を入力する操作指示ユニットと、
前記操作デバイスが検知した操作方向に基づいて、早送り表示または早戻し表示の選択をし、前記操作デバイスが検知した操作量に基づいて、選択された早送り表示または早戻し表示における前記第１の時間及び前記第２の時間を決定する制御内容決定ユニットと、
前記制御内容決定ユニットが決定した早送り表示または早戻し表示の選択、及び決定した前記第１の時間及び前記第２の時間に基づいて、前記所定数の縮小画像それぞれを作成し、作成した前記所定数の縮小画像それぞれを前記所定の一方向に時間順に表示する表示画像を作成する画像作成ユニットと、
前記画像作成ユニットにより作成された前記表示画像を表示する表示ユニットと、
を備え、
前記制御内容決定ユニットは、
前記操作量が大きくなるに従って、前記第１の時間を長くする、もしくは前記第２の時間を短くすることを特徴とする画像表示システム。
【請求項２】
前記所定数の縮小画像は、前記再生時点のフレーム画像に対応する縮小画像、前記再生時点より過去の時点のフレーム画像に対応する縮小画像、及び前記再生時点より未来の時点のフレーム画像に対応する縮小画像を含むことを特徴とする請求項１記載の画像表示システム。
【請求項３】
前記再生時点のフレーム画像に対応する縮小画像は、前記所定の一方向に沿って表示される前記所定数の縮小画像の中心に表示されることを特徴とする請求項２記載の画像表示システム。
【請求項４】
前記再生時点のフレーム画像に対応する縮小画像は、他の前記縮小画像よりも画像が大きいことを特徴とする請求項２又は３記載の画像表示システム。
【請求項５】
前記再生時点のフレーム画像は、前記所定数の縮小画像とともに前記画面上に表示されることを特徴とする請求項２乃至４のいずれか１項に記載の画像表示システム。
【請求項６】
前記画像作成ユニットは、
前記第１の時間及び前記第２の時間に基づいて、前記再生時点より過去のフレーム画像に対応する縮小画像の数、及び前記再生時点より未来のフレーム画像に対応する縮小画像の数を変化させることを特徴とする請求項２乃至５のいずれか１項に記載の画像表示システム。
【請求項７】
前記操作デバイスは、左右方向にスライド可能であるとともに、原点位置に対する復帰力を有する操作部を備え、
前記操作方向は、前記操作部の前記原点位置からの移動方向、前記操作量は、前記操作部の前記原点位置から距離であることを特徴とする請求項１乃至６のいずれか１項に記載の画像表示システム。
【請求項８】
前記操作デバイスが検知した操作方向及び操作量と、複数段階の制御コードを対応付けて記憶する制御コード記憶ユニットと、
前記制御コード記憶ユニットを参照して、前記操作デバイスが検知した操作方向と操作量に対応した制御コードを決定する制御コード決定ユニットと、
をさらに備え、
前記制御内容決定ユニットは、
前記制御コード決定ユニットが決定した制御コードに基づいて、早送り表示または早戻し表示の選択、並びに前記第１の時間及び前記第２の時間を決定することを特徴とする請求項１乃至７のいずれか１項に記載の画像表示システム。
【請求項９】
前記動画コンテンツは、複数の場面に分類され、
前記第１の時間の代わりに、前記場面の数とすることを特徴とする請求項１記載の画像表示システム。
【請求項１０】
予め定めた順序で複数の画像コンテンツを早送り表示または早戻し表示する場合には、前記複数の画像コンテンツの中から、現在表示中の画像コンテンツを起点として所定の順序間隔に従って選択された所定数の画像コンテンツに対応する縮小画像それぞれを、前記予め定めた順序に従って画面上の所定の一方向に表示するとともに、
所定の時間間隔ごとに、
前記早送り表示の場合には、前記起点となる画像コンテンツを前記現在表示中の画像コンテンツより所定の順序間隔だけ後方の順序の画像コンテンツに設定し、前記早戻し表示の場合には、前記起点となる画像コンテンツを前記現在表示中の画像コンテンツより所定の順序間隔だけ前方の順序の画像コンテンツに設定し、設定した画像コンテンツを起点として前記所定の順序間隔ごとに選択された前記所定数のフレーム画像に対応するそれぞれの縮小画像を、前記所定の一方向に前記予め定めた順序で表示することにより、前記所定数の縮小画像を早送り表示または早戻し表示する画像表示システムであって、
操作方向及び操作量を検知可能な操作デバイスを備え、該操作デバイスを介して前記早送り表示または早戻し表示の指示を入力する操作入力ユニットと、
前記操作デバイスが検知した操作方向及び操作量に基づいて、早送り表示または早戻し表示を選択し、前記所定の順序間隔及び前記所定の時間間隔を決定する制御内容決定ユニットと、
前記制御内容決定ユニットが決定した早送り表示または早戻し表示の選択、及び決定した前記所定の順序間隔及び前記所定の時間間隔に基づいて、前記所定数の縮小画像それぞれを作成し、作成した前記所定数の縮小画像それぞれを前記所定の一方向に前記予め定めた順序で表示する表示画像を作成する画像作成ユニットと、
前記画像作成ユニットにより作成された前記表示画像を表示する表示ユニットと、
を備え、
前記制御内容決定ユニットは、
前記操作量が大きくなるに従って、前記所定の順序間隔を長くする、もしくは前記所定の時間間隔を短くすることを特徴とする画像表示システム。
【国際調査報告】
2010122644.tif 000019
2010122644.tif 000020